(57)【要約】【課題】画像を見易くすることができる情報処理装置を提供する。【解決手段】携帯端末１０１は、サムネイル画像に重ねて表示される属性アイコンの表示の仕様をサムネイル画像の表示サイズに基づいて決定する。【選択図】図３
2018049145.tif 000002
【特許請求の範囲】
【請求項１】
外部装置から取得された画像及び前記画像に関する情報を表示する情報処理装置であって、
前記画像に関する情報を前記画像に重ねて表示する表示手段と、
前記画像の表示サイズを設定する設定手段と、
前記設定された画像の表示サイズに基づいて前記画像に関する情報の表示の仕様を決定する決定手段とを備えることを特徴とする情報処理装置。
【請求項２】
前記画像に関する情報の表示の仕様は、前記画像に関する情報を表示するか否かの仕様、及び前記画像に関する情報の表示位置の仕様であることを特徴とする請求項１記載の情報処理装置。
【請求項３】
第１のサイズが予め設定され、
前記決定手段は、前記設定された画像の表示サイズが前記第１のサイズより小さい場合、前記画像に関する情報を表示しないことを決定することを特徴とする請求項２記載の情報処理装置。
【請求項４】
第１のサイズより大きい第２のサイズが予め設定され、
前記決定手段は、前記設定された画像の表示サイズが前記第２のサイズ以上である場合、前記画像に関する情報を一箇所にまとめ且つ前記画像に重ねて表示することを決定することを特徴とする請求項２又は３記載の情報処理装置。
【請求項５】
前記設定された画像の表示サイズが前記第２のサイズ以上である場合の前記画像に関する情報の表示サイズは、前記設定された画像の表示サイズが前記第２のサイズより小さい場合の前記画像に関する情報の表示サイズより大きいことを特徴とする請求項４記載の情報処理装置。
【請求項６】
外部装置から取得された画像及び前記画像に関する情報を表示する情報処理装置の制御方法であって、
前記画像に関する情報を前記画像に重ねて表示する表示ステップと、
前記画像の表示サイズを設定する設定ステップと、
前記設定された画像の表示サイズに基づいて前記画像に関する情報の表示の仕様を決定する決定ステップとを有することを特徴とする情報処理装置の制御方法。
【請求項７】
コンピュータを請求項１乃至５のいずれか１項に記載の情報処理装置の各手段として機能させるプログラム。
【発明の詳細な説明】
【技術分野】
【０００１】
本発明は、情報処理装置及びその制御方法、並びにプログラムに関する。
【背景技術】
【０００２】
デジタルカメラ等の外部装置とデータ通信を行う情報処理装置としての携帯端末が知られている。携帯端末は、デジタルカメラとデータ通信を行って該デジタルカメラに格納された複数の撮影画像に関連する関連情報を取得し、取得された関連情報に基づいて携帯端末の表示部に複数の撮影画像の各情報を表示する。具体的に、携帯端末は、各撮影画像を縮小した見本画像であるサムネイル画像を一覧表示し、各撮影画像のデータ形式や解像度等の属性を示すアイコン（以下、「属性アイコン」という。）を各サムネイル画像に重ねて表示する（例えば、特許文献１参照）。これにより、ユーザはデジタルカメラに格納された撮影画像の各情報を携帯端末から確認可能となる。
【先行技術文献】
【特許文献】
【０００３】
【特許文献１】特開２０１６−１１５２６６号公報
【発明の概要】
【発明が解決しようとする課題】
【０００４】
しかしながら、上述した特許文献１の技術では、サムネイル画像に対して属性アイコンをバランス良く配置しないと、サムネイル画像が見難くなるという問題が生じる。
【０００５】
本発明の目的は、画像を見易くすることができる情報処理装置及びその制御方法、並びにプログラムを提供することにある。
【課題を解決するための手段】
【０００６】
上記目的を達成するために、本発明の情報処理装置は、外部装置から取得された画像及び前記画像に関する情報を表示する情報処理装置であって、前記画像に関する情報を前記画像に重ねて表示する表示手段と、前記画像の表示サイズを設定する設定手段と、前記設定された画像の表示サイズに基づいて前記画像に関する情報の表示の仕様を決定する決定手段とを備えることを特徴とする。
【発明の効果】
【０００７】
本発明によれば、画像を見易くすることができる。
【図面の簡単な説明】
【０００８】
【図１】本発明の実施の形態に係る情報処理装置としての携帯端末の構成を概略的に示すブロック図である。
【図２】図１のデジタルカメラの構成を概略的に示すブロック図である。
【図３】図１の携帯端末で実行される画像表示処理の手順を示すタイミングチャートである。
【図４】図１の表示部に表示される各画像の一例を示す図である。
【発明を実施するための形態】
【０００９】
以下、本発明の実施の形態を図面を参照しながら詳述する。
【００１０】
本実施の形態では、外部装置とデータ通信可能な情報処理装置としての携帯端末に本発明を適用した場合について説明するが、本発明の適用先は携帯端末に限られない。例えば、デジタルカメラ、タブレットデバイス、及びパーソナルコンピュータを含むデータ通信機能を備える装置であれば本発明を適用することができる。
【００１１】
図１は、本発明の実施の形態に係る情報処理装置としての携帯端末１０１の構成を概略的に示すブロック図である。
【００１２】
図１において、携帯端末１０１はデジタルカメラ１０２とデータ通信可能に通信接続されている。携帯端末１０１は制御部１０３、撮像部１０４、不揮発メモリ１０５、作業用メモリ１０６、操作部１０７、表示部１０８、記録媒体１０９、接続部１１０、公衆網接続部１１１、マイク１１２、及びスピーカ１１３を備える。制御部１０３は、撮像部１０４、不揮発メモリ１０５、作業用メモリ１０６、操作部１０７、表示部１０８、記録媒体１０９、接続部１１０、公衆網接続部１１１、マイク１１２、及びスピーカ１１３のそれぞれと接続されている。
【００１３】
携帯端末１０１はデジタルカメラ１０２とデータ通信を行う。携帯端末１０１は、例えば、デジタルカメラ１０２に格納された複数の撮影画像のそれぞれを縮小した見本画像である複数のサムネイル画像（画像）をデジタルカメラ１０２から取得し、当該複数のサムネイル画像を表示部１０８に一覧表示する。また、携帯端末１０１は各撮影画像のデータ形式や解像度等の属性を示す属性アイコンを各サムネイル画像に重ねて表示する。制御部１０３は携帯端末１０１全体を統括的に制御する。撮像部１０４は、該撮像部１０４に設けられる図示しないレンズで結像された被写体光を電気信号に変換し、該電気信号に対しノイズ低減処理を施して画像データを生成する。生成された画像データは記録媒体１０９に記録される。不揮発メモリ１０５は電気的に消去・記録可能な不揮発性のメモリである。不揮発メモリ１０５には制御部１０３で実行されるプログラム、例えば、デジタルカメラ１０２とデータ通信するための図示しない通信制御アプリケーションを実行するためのプログラム（以下、「通信制御プログラム」という。）が格納される。作業用メモリ１０６は表示部１０８で表示される表示用画像データの格納領域として用いられ、また、作業用メモリ１０６は制御部１０３の作業領域として用いられる。
【００１４】
操作部１０７は、操作キーや表示部１０８に表示される操作ボタンを含み、ユーザによって入力された入力情報を受け付ける。表示部１０８はタッチパネル式のディスプレイで構成され、各画像、例えば、デジタルカメラ１０２に格納された複数の撮影画像のそれぞれの複数のサムネイル画像を一覧表示する。なお、本実施の形態では、携帯端末１０１が該携帯端末１０１に接続された外部表示デバイスの表示を制御する表示制御機能を有し、接続された外部表示デバイスを表示部１０８として用いても良い。記録媒体１０９は撮像部１０４で生成された画像データを格納する。接続部１１０はデジタルカメラ１０２等の外部装置とデータ通信を行うためのモジュールである。例えば、接続部１１０はデジタルカメラ１０２と無線ＬＡＮ通信、赤外線通信、Ｂｌｕｅｔｏｏｔｈ（登録商標）通信といった無線通信を行う。また、接続部１１０はＵＳＢケーブルやＨＤＭＩ（登録商標）で接続されたデジタルカメラ１０２と有線通信を行う。公衆網接続部１１１は外部装置と通話処理を行うためのモジュールである。マイク１１２は通話時のユーザの音声入力を受け付ける。スピーカ１１３は通話先の外部装置で受信した音声を出力する。
【００１５】
図２は、図１のデジタルカメラ１０２の構成を概略的に示すブロック図である。
【００１６】
図２において、デジタルカメラ１０２は、制御部２０１、撮像部２０２、不揮発メモリ２０３、作業用メモリ２０４、操作部２０５、表示部２０６、記録媒体２０７、及び接続部２０８を備える。制御部２０１は撮像部２０２、不揮発メモリ２０３、作業用メモリ２０４、操作部２０５、表示部２０６、記録媒体２０７、及び接続部２０８のそれぞれと接続されている。
【００１７】
制御部２０１はデジタルカメラ１０２全体を統括的に制御する。撮像部２０２は該撮像部２０２に設けられる図示しないレンズで結像された被写体光を電気信号に変換し、該電気信号に対してノイズ低減処理を施して画像データを生成する。不揮発メモリ２０３は電気的に消去・記録可能な不揮発性のメモリであり、制御部２０１で実行される各プログラムが格納される。作業用メモリ２０４は撮像部２０２で生成された画像データを一時的に保持するバッファメモリとして用いられ、また、作業用メモリ２０４は表示部２０６で表示される表示用画像データの格納領域や制御部２０１の作業領域として用いられる。操作部２０５は、操作キーや表示部２０６に表示される操作ボタンを含み、ユーザによって入力された入力情報を受け付ける。表示部２０６は、タッチパネル式のディスプレイで構成され、撮影の際のビューファインダー画像の表示、撮影した画像データの表示、対話的な操作のための文字表示等を行う。記録媒体２０７は撮像部２０２で生成された画像データを格納する。接続部２０８は携帯端末１０１等の外部装置とデータ通信を行うためのモジュールである。
【００１８】
図３は、図１の携帯端末１０１で実行される画像表示処理の手順を示すタイミングチャートである。
【００１９】
図３の処理は、制御部１０３が不揮発メモリ１０５に格納された通信制御プログラムを実行することによって行われ、通信制御アプリケーションが起動していることを前提とする。通信制御アプリケーションが起動すると、携帯端末１０１では図４（ａ）の設定メニュー４００が表示部１０８に表示される。設定メニュー４００は、デジタルカメラ１０２に格納された複数の撮影画像の各情報を表示部１０８に表示する撮影画像の表示処理の実行を指示するためのメニュー画像であり、当該撮影画像の表示処理の実行を指示する操作ボタン４０１を備える。
【００２０】
図３において、まず、携帯端末１０１は表示部１０８に表示された設定メニュー４００の操作ボタン４０１がユーザによって選択されたことを検知する（タイミングＴ３０１）。次いで、携帯端末１０１はデジタルカメラ１０２に格納された撮影画像のリスト情報を要求するリスト要求通知をデジタルカメラ１０２に送信する（タイミングＴ３０２）。次いで、携帯端末１０１はリスト要求通知に応じてデジタルカメラ１０２から送信されたリスト情報を受信する（タイミングＴ３０３）。リスト情報はデジタルカメラ１０２に格納された複数の撮影画像のそれぞれを識別するための複数の画像識別ＩＤを含む。
【００２１】
次いで、携帯端末１０１は、受信されたリスト情報に基づいて予め設定された標準表示枚数の撮影画像のヘッダー情報及び該標準表示枚数のサムネイル画像を要求するデータ要求通知をデジタルカメラ１０２に送信する（タイミングＴ３０４）。各ヘッダー情報は各撮影画像のデータ形式や解像度等の情報を含み、各サムネイル画像と対応付けされている。次いで、携帯端末１０１はデジタルカメラ１０２からデータ要求通知に応じた個数のヘッダー情報及びサムネイル画像を受信する（タイミングＴ３０５）。次いで、携帯端末１０１は受信された複数のサムネイル画像を表示部１０８に一覧表示する（タイミングＴ３０６）。その後、携帯端末１０１は受信された各ヘッダー情報に基づいて複数の属性アイコンを各サムネイル画像に対応付けして生成する。複数の属性アイコンは撮影画像のファイル形式、撮影画像の解像度、及び撮影画像が携帯端末１０１に格納済みであるか否かを示す情報等であり、サムネイル画像毎に生成される属性アイコンの内容や個数が異なる。
【００２２】
次いで、携帯端末１０１は各サムネイル画像に属性アイコンを重ねて表示する（タイミングＴ３０７）。例えば、タイミングＴ３０７では、図４（ｂ）の一覧画像４０２のように、サムネイル画像４０３に対応付けされた属性アイコン４０４ａ〜４０４ｃを該サムネイル画像４０３に重ねて表示する。属性アイコン４０４ａ〜４０４ｃはサムネイル画像４０３が見難くならないように、サムネイル画像４０３の四隅や両端に所定の表示サイズで表示される。これにより、ユーザは携帯端末１０１を用いてデジタルカメラ１０２に格納された撮影画像の各情報を確認可能となる。
【００２３】
ところで、携帯端末１０１は、ユーザの表示部１０８のピンチ操作や、表示部１０８に表示された図示しないスライダーの操作を検知してサムネイル画像の縮小指示や拡大指示を受け付け、各操作の操作量に応じて縮小及び拡大の度合いを設定する。本実施の形態では、サムネイル画像の縮小指示を受け付けた場合を後述するタイミングＴ３０８〜Ｔ３１５で説明し、サムネイル画像の拡大指示を受け付けた場合を後述するタイミングＴ３１６〜Ｔ３２３で説明する。
【００２４】
サムネイル画像の縮小指示を受け付けると（タイミングＴ３０８）、携帯端末１０１は、設定された縮小幅に応じてサムネイル画像の表示サイズ及びサムネイル画像の表示枚数を決定する（タイミングＴ３０９）。ここで、属性アイコンの見易さの観点から、サムネイル画像の縮小指示が行われた場合、携帯端末１０１は属性アイコンの表示サイズを所定の表示サイズから変更しない（第１の対応）ことが好ましい。また、ユーザの誤認識を防止する観点から、サムネイル画像の縮小指示が行われた場合、携帯端末１０１は、撮影画像に関する一部の情報が欠落する処理、具体的に、一部の属性アイコンのみを削除するといった処理を行わない（第２の対応）ことが好ましい。しかしながら、サムネイル画像の縮小指示が行われた際に第１の対応及び第２の対応の両方を実現すると、表示部１０８では、サムネイル画像の表示サイズが小さくなるにつれて、サムネイル画像において属性アイコンに覆われる領域が増えてしまう。その結果、サムネイル画像が見難くなってしまう。これに対応して、携帯端末１０１は決定されたサムネイル画像の表示サイズに基づいて属性アイコンの表示の仕様を決定する。具体的に、携帯端末１０１は、決定されたサムネイル画像の表示サイズに基づいて属性アイコンを表示するか否かを決定する（タイミングＴ３１０）。タイミングＴ３１０では、タイミングＴ３０９で決定されたサムネイル画像の表示サイズが予め設定された第１のサイズより小さい場合、携帯端末１０１は属性アイコンを表示しないことを決定する。第１のサイズは、全てのサムネイル画像において、対応付けされた属性アイコンをサムネイル画像の四隅や両端に表示しても、属性アイコン同士が重ならない程度のサムネイル画像の表示サイズである。一方、タイミングＴ３０９で決定されたサムネイル画像の表示サイズが予め設定された第１のサイズ以上である場合、携帯端末１０１は属性アイコンを表示することを決定する。
【００２５】
次いで、携帯端末１０１は表示部１０８に表示された図４（ｂ）の一覧画像４０２から全ての属性アイコンを削除する（タイミングＴ３１１）。その後、携帯端末１０１は、タイミングＴ３０９で決定されたサムネイル画像の表示枚数が標準表示枚数より多いか否かを判別する。判別した結果、決定されたサムネイル画像の表示枚数が標準表示枚数より多くないとき、携帯端末１０１は後述するタイミングＴ３１４の処理を行う。一方、判別した結果、決定されたサムネイル画像の表示枚数が標準表示枚数より多いとき、携帯端末１０１は追加画像のヘッダー情報及びサムネイル画像を要求する追加データ要求通知をデジタルカメラ１０２に送信する（タイミングＴ３１２）。次いで、携帯端末１０１は追加データ要求通知に応じてデジタルカメラ１０２から送信された追加画像のヘッダー情報及びサムネイル画像を受信する（タイミングＴ３１３）。
【００２６】
次いで、携帯端末１０１はタイミングＴ３０５及びタイミングＴ３１３のそれぞれで受信された全てのサムネイル画像を表示部１０８に一覧表示する（タイミングＴ３１４）。次いで、携帯端末１０１はタイミングＴ３１０の処理の決定に従って属性アイコンの表示制御を行う（タイミングＴ３１５）。タイミングＴ３１５では、タイミングＴ３１０の処理において属性アイコンを表示することが決定された場合、携帯端末１０１は、例えば、サムネイル画像４０３に対応付けされた属性アイコン４０４ａ〜４０４ｃを該サムネイル画像４０３に重ねて表示する。一方、タイミングＴ３１０の処理において属性アイコンを表示しないことが決定された場合、携帯端末１０１は、図４（ｃ）の一覧画像４０５のように、サムネイル画像４０３に対応付けされた属性アイコン４０４ａ〜４０４ｃを表示しない。その後、携帯端末１０１は本処理を終了する。
【００２７】
また、携帯端末１０１は、サムネイル画像の拡大指示を受け付けると（タイミングＴ３１６）、設定された拡大幅に応じてサムネイル画像の表示サイズ及びサムネイル画像の表示枚数を決定する（タイミングＴ３１７）。次いで、携帯端末１０１は、決定されたサムネイル画像の表示サイズに基づいて属性アイコンの表示の仕様、具体的に、属性アイコンの表示位置を決定する（タイミングＴ３１８）。例えば、決定されたサムネイル画像の表示枚数が１枚であり、表示されるサムネイル画像がサムネイル画像４０３である場合について説明する。この場合、携帯端末１０１は、決定されたサムネイル画像４０３の表示サイズが第２のサイズ以上であるとき、サムネイル画像４０３に対応する属性アイコン４０４ａ〜４０４ｃの全てをサムネイル画像４０３における一箇所にまとめて表示することを決定する。第２のサイズは一覧画像に表示されるサムネイル画像が１枚となるサムネイル画像の表示サイズである。一方、決定されたサムネイル画像４０３の表示サイズが第２のサイズより小さいとき、サムネイル画像４０３に対応する各属性アイコン４０４ａ〜４０４ｃを標準位置、つまり、サムネイル画像４０３の四隅に表示することを決定する。
【００２８】
次いで、携帯端末１０１は表示部１０８に表示された図４（ｂ）の一覧画像４０４から全ての属性アイコンを削除する（タイミングＴ３１９）。次いで、携帯端末１０１は、リサイズ（拡大）されたサムネイル画像（以下、「リサイズ画像」という。）を要求するリサイズデータ要求通知をデジタルカメラ１０２に送信する（タイミングＴ３２０）。これにより、デジタルカメラ１０２は、受信されたリサイズデータ要求通知に応じてリサイズ処理を行ってリサイズ画像を生成し、該リサイズ画像を携帯端末１０１に送信する。ここで、携帯端末１０１がサムネイル画像をリサイズ処理すると、デジタルカメラ１０２がサムネイル画像をリサイズ処理した場合に比べ画質が落ちてしまい、サムネイル画像が見難くなってしまう。そのため、本実施の形態では、携帯端末１０１はリサイズ画像をデジタルカメラ１０２から取得する。
【００２９】
次いで、携帯端末１０１はデジタルカメラ１０２からリサイズ画像を受信し（タイミングＴ３２１）、該リサイズ画像を表示部１０８に表示する（タイミングＴ３２２）。次いで、携帯端末１０１はタイミングＴ３１８で決定された表示位置にリサイズ画像に対応付けされた全ての属性アイコンを表示する（タイミングＴ３２３）。例えば、タイミングＴ３２３では、携帯端末１０１は、図４（ｄ）の一覧画像４０６のように、サムネイル画像４０３をリサイズしたリサイズ画像４０７の一端にまとめて属性アイコン４０４ａ〜４０４ｃを表示する。その後、携帯端末１０１は本処理を終了する。
【００３０】
上述した図３の処理によれば、属性アイコンの表示の仕様が、サムネイル画像の表示サイズに基づいて決定される。これにより、サムネイル画像の表示サイズに適した属性アイコンの表示を行うことができ、もって、サムネイル画像を見易くすることができる。
【００３１】
また、上述した図３の処理では、属性アイコンの表示の仕様は属性アイコンを表示するか否かの仕様、及び属性アイコンの表示位置の仕様である。これにより、一覧画像において、サムネイル画像に対する属性アイコンのバランスを調整することができ、もって、サムネイル画像を確実に見易くすることができる。
【００３２】
さらに、上述した図３の処理では、決定されたサムネイル画像の表示サイズが第１のサイズより小さい場合、属性アイコンが表示されない。これにより、サムネイル画像の表示サイズが小さくなるにつれて、サムネイル画像が見難くなってしまうという事態を無くすことができる。
【００３３】
上述した図３の処理では、決定されたサムネイル画像の表示サイズが第２のサイズ以上である場合、属性アイコンが一箇所にまとめて表示される。ここで、サムネイル画像の表示サイズが大きくなると、サムネイル画像の四隅等のように散らばって配置された各属性アイコンをユーザが一目で認識することができない場合がある。これに対応して、上述した本実施の形態では、決定されたサムネイル画像の表示サイズが第２のサイズ以上である場合、属性アイコンが一箇所にまとめて表示されるので、ユーザに一目で属性アイコンを認識させることができる。
【００３４】
以上、本発明について、上述した実施の形態を用いて説明したが、本発明は上述した実施の形態に限定されるものではない。
【００３５】
例えば、サムネイル画像の表示サイズが第２のサイズ以上である場合の属性アイコンの表示サイズは、サムネイル画像の表示サイズが第２のサイズより小さい場合の属性アイコンの表示サイズより大きくても良い。これにより、ユーザに属性アイコンを容易に認識させることができる。
【００３６】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００３７】
１０１  携帯端末
１０２  デジタルカメラ
１０３  制御部
１０８  表示部
１１０  接続部
４０３  サムネイル画像
４０４ａ〜４０４ｃ  属性アイコン
【図１】
2018049145.tif 000003
【図２】
2018049145.tif 000004
【図３】
2018049145.tif 000005
【図４】
2018049145.tif 000006